(57)【特許請求の範囲】
【請求項１】
伝動ケースの下部に装着された耕耘爪又は走行装置と、前記伝動ケースから後方に延出された操縦ハンドルと、前記耕耘爪又は走行装置を駆動する電動モータとを備えた歩行型電動作業機であって、
前記電動モータを縦軸駆動に構成するとともに、その電動モータとバッテリーとを前記伝動ケースの上部で載置台上に併置し、
前記伝動ケースの下部に、前記耕耘爪又は走行装置における回転軸を左右方向の軸心周りに回転自在に支持してあり、
前記電動モータの上部に、下方へ冷却風を供給する冷却ファンを備え、
前記バッテリーの設置領域は、前記電動モータの左右両側部のみに設定してあり、その設置領域に設置された前記バッテリーと前記電動モータとが側面視で重なり、且つ、その設置領域に設置された前記バッテリーが側面視で前記耕耘爪又は走行装置における回転軸の上部に位置するように設定してあり、
前記伝動ケースの上部と下部とを繋ぐ部位を、側面視で前記バッテリーの設置領域と重なる領域で上下方向に延びるように形成してあることを特徴とする歩行型電動作業機。
【請求項２】
前記電動モータの前部中央部分には、冷却ファンからの冷却風を左右に方向転換してバッテリーを冷却する前部冷却案内部材を設けてある請求項１記載の歩行型電動作業機。
【請求項３】
前記電動モータの外周面に、縦長の複数の放熱板を備えてある請求項１又は２記載の歩行型電動作業機。
【発明の詳細な説明】
【技術分野】
【０００１】
本発明は、伝動ケースの下部に装着された耕耘爪又は走行装置を電動モータによって駆動する歩行型電動作業機に関する。
【背景技術】
【０００２】
従来の技術としては、例えば特許文献１に開示されているように、電動モータ（特許文献１の図５の１１）の外周部にバッテリー（特許文献１の図５の３１）を装備し、バッテリーによって電動モータを駆動させて、機体（特許文献１の図５の１７）下部に備えた耕耘爪（特許文献１の図１の１３）を回転するように構成された歩行型電動作業機が知られている。
【０００３】
【特許文献１】特開２００４−２７５１０２号公報（図１及び図５参照）
【発明の開示】
【発明が解決しようとする課題】
【０００４】
特許文献１の歩行型電動作業機では、耕耘爪を回転する電動モータ（特許文献１の図５の１１）をフェンダ（特許文献１の図５の１４）に装着し、上方から上部カバー（特許文献１の図５の１５）で覆うように構成されており、耕耘爪を回転させることによって発生した電動モータの熱が上部カバー及びフェンダの内部に滞留して放熱され難かった。その結果、長時間電動モータを駆動させると電動モータが故障し易くなって長時間の耕耘作業を行うことができないといった問題や、高温で電動モータを回転させると電動モータに無理な負担が掛かって電動モータの寿命が短くなるといった問題があった。
【０００５】
特許文献１の歩行型電動作業機では、電動モータの外周部にバッテリー（特許文献１の図５の３１）を配設して、上方から上部カバー（特許文献１の図５の１５）で覆うように構成されており、電動モータを駆動させることによって発生したバッテリーの熱が上部カバー及びフェンダの内部に滞留して放熱され難かった。その結果、長時間バッテリーを使用するとバッテリーが放電し易くなって長時間の耕耘作業を行うことができないといった問題や、高温でバッテリーを使用するとバッテリーに無理な負担が掛かってバッテリーの寿命が短くなるといった問題があった。
本発明は、電動モータ及びバッテリーの熱を効率よく放熱することのできる歩行型電動作業機を実現することを目的とする。
【課題を解決するための手段】
【０００６】
（構成）
本発明の第１特徴は、歩行型電動作業機を次のように構成することにある。
伝動ケースの下部に装着された耕耘爪又は走行装置と、前記伝動ケースから後方に延出された操縦ハンドルと、前記耕耘爪又は走行装置を駆動する電動モータとを備えた歩行型
電動作業機において、
前記電動モータを縦軸駆動に構成するとともに、その電動モータとバッテリーとを前記伝動ケースの上部で載置台上に併置し、
前記伝動ケースの下部に、前記耕耘爪又は走行装置における回転軸を左右方向の軸心周りに回転自在に支持してあり、
前記電動モータの上部に、下方へ冷却風を供給する冷却ファンを備え、
前記バッテリーの設置領域は、前記電動モータの左右両側部のみに設定してあり、その設置領域に設置された前記バッテリーと前記電動モータとが側面視で重なり、且つ、その設置領域に設置された前記バッテリーが側面視で前記耕耘爪又は走行装置における回転軸の上部に位置するように設定してあり、
前記伝動ケースの上部と下部とを繋ぐ部位を、側面視で前記バッテリーの設置領域と重なる領域で上下方向に延びるように形成してある。
【０００７】
（作用）
本発明の第１特徴によると、電動モータの上部に備えた冷却ファンを回転させると、冷却ファンからの冷却風が電動モータの外周部を通ってバッテリーに供給され、冷却ファンからの冷却風により電動モータの表面及びバッテリーの表面を冷却することができる。その結果、伝動ケースの下部に装着された耕耘爪又は走行装置の駆動により発生した電動モータ及びバッテリーの熱を効率よく放熱でき、電動モータ及びバッテリーの発熱による温度上昇を低く抑えることができる。
【０００８】
（発明の効果）
本発明の第１特徴によると、長時間の耕耘作業を行うことができると共に、電動モータ及びバッテリーの寿命を長く確保できる。
【０００９】
（構成）
本発明の第２特徴は、本発明の第１特徴の歩行型電動作業機において、前記電動モータの前部中央部分には、冷却ファンからの冷却風を左右に方向転換してバッテリーを冷却する前部冷却案内部材を設けてある点に特徴がある。
【００１０】
（構成）
本発明の第３特徴は、本発明の第１又は２特徴の歩行型電動作業機において、次のように構成することにある。
前記電動モータの外周面に、縦長の複数の放熱板を備えてある。
（作用）
本発明の第３特徴によると、本発明の第１特徴と同様の「作用」を備えており、これに加えて以下のような「作用」を備えている。
本発明の第３特徴によると、電動モータの上部に備えた冷却ファンを回転させると、冷
却ファンからの冷却風が電動モータの外周面に備えられた複数の放熱板に案内されながら、複数の放熱板の間を通って下方へ供給され、冷却ファンからの冷却風がバッテリーに供給され易くなる。縦長の複数の放熱板により電動モータの外周部の表面積が広く確保されているため、冷却ファンからの冷却風により電動モータの外周部から熱が放熱され易くなる。その結果、電動モータ及びバッテリーの熱を更に効率よく放熱でき、電動モータ及びバッテリーの発熱による温度上昇を更に低く抑えることができる。
【００１１】
（発明の効果）
本発明の第３特徴によると、本発明の第１特徴と同様の「発明の効果」を備えており、これに加えて以下のような「発明の効果」を備えている。
本発明の第３特徴によると、更に長時間の耕耘作業を行うことができると共に、電動モータ及びバッテリーの寿命を更に長く確保できる。
【発明を実施するための最良の形態】
【００１２】
［歩行型電動作業機の全体構成］
図１及び図２に示すように、伝動ケース１に軸支された耕耘爪２を、伝動ケース１の上部に配設された電動モータ３によって回転させて、伝動ケース１から斜め後方上方に延出された操縦ハンドル４を操作することにより、走行させながら耕耘作業を行うことができるように歩行型電動作業機が構成されている。
【００１３】
伝動ケース１の上部後部及び下部後部に、左右向きの連結穴が形成された上部及び下部連結部１ｂ，１ｃが一体成形されており、この上部及び下部連結部１ｂ，１ｃにパイプ状のフレーム５が斜め後方上方に向くように連結されている。フレーム５の後端部にスライド部材６がフレーム５に対して長手方向にスライド自在に装着されており、このスライド部材６に操縦ハンドル４が固定されている。操縦ハンドル４は、パイプ材により構成されており、その前端部の左右中央部分がスライド部材６に固定されている。
【００１４】
左右の操縦ハンドル４の後端部には、左右の握り部４ａが装着されており、この左右の握り部４ａを左手及び右手で握って耕耘爪２を回転させながら走行させることで耕耘作業を行うことができる。右側の操縦ハンドル４に装着された握り部４ａの前方には、起動停止スイッチ７が装着されており、操縦ハンドル４の握り部４ａを握って右手の親指で起動停止スイッチ７を操作することで、後述する電動モータ３の起動及び停止ができ、耕耘爪２の回転及び停止ができるように構成されている。
【００１５】
スライド部材６には、長穴及びロック具が装備されており、このロック具を解除してスライド部材６を長穴に沿って移動させることにより、操縦ハンドル４の握り部４ａの高さを変更調節できるように構成されている。
【００１６】
フレーム５には、ヒッチ１１が装備されており、このヒッチ１１に抵抗棒１２が高さ調節可能に支持されている。伝動ケース１の上部には、下部カバー２０、冷却ファン３ｄを備えた電動モータ３、電動モータ３の駆動源となる複数のバッテリー３１を積み上げたバッテリーユニット３０、コントロールボックス２３、保護カバー４０等が装着されている。
【００１７】
［歩行型電動作業機の伝動構造］
図３に示すように、伝動ケース１の下部に左右方向の軸心Ｐ１周りで回転軸１３が回転自在に支持されており、この回転軸１３の左右両端部に耕耘爪２が装着されている。伝動ケース１の内部には、伝動ケース１に内嵌された上下のベアリング１４，１４を介して、上下に長い駆動軸１５が上下方向の軸心Ｐ２周りに回動自在に支持されており、この駆動軸１５の上端部が、電動モータ３の出力軸３ａにカップリング１６を介して連動連結されている。
【００１８】
駆動軸１５の下部には、螺旋状のギアが加工された駆動ギア１７が連動連結されており、この駆動ギア１７が回転軸１３に連動連結された回転ギア１８に咬合されて、駆動軸１５の上下方向の軸心Ｐ２周りの回転が回転軸１３の左右方向の軸心Ｐ１周りの回転に減速されて伝達されるように構成されている。
【００１９】
駆動軸１５の上下方向の軸心Ｐ２の後側に回転軸１３の左右方向の軸心Ｐ１が位置するように、回転軸１３が駆動軸１５の後方に配設されており、駆動軸１５の上部に連結された電動モータ３等を回転軸１３に対して前方に位置させることができ、電動モータ３等の重量を回転軸１３に対して前側に作用させることができる。その結果、図１に示す左右方向の軸心Ｐ１周りの反時計周りの曲げモーメントを、電動モータ３等の重量によって作用させることができ、操縦ハンドル４の操作性を向上できるとともに、耕耘爪２による耕耘力を向上できる。
【００２０】
伝動ケース１の上部には、電動モータ３等を固定する平板状のデッキ部１ａが形成されており、このデッキ部１ａに電動モータ３及び下部カバー２０が固定されている。
【００２１】
図３及び図４に示すように、電動モータ３は、その下部に位置するフランジ部３ｂと、電動モータ本体３ｃとを備えて構成されており、フランジ部３ｂの下方に、スプライン溝の加工された出力軸３ａが延出されている。フランジ部３ｂには、複数の取付穴が形成されており、フランジ部３ｂの下面を、下部カバー２０に備えられた載置台であるところの水平部材２１を間に挟んで伝動ケース１のデッキ部１ａの上面側に締め付けることで、電動モータ３を伝動ケース１に固定できるように構成されている。
【００２２】
電動モータ３の上部には、電動モータ３と連動連結され、電動モータ３と一体回動可能な冷却ファン３ｄが上下方向の軸心Ｐ２周りに回動可能に取り付けられており、この冷却ファン３ｄを回転させることによって、冷却ファン３ｄの上部及び外周部から吸い込んだ空気を、冷却ファン３ｄの下方に位置する電動モータ本体３ｃ等に供給できるように構成されている。冷却ファン３ｄの上方及び外周部は、複数の通気口が形成されたファンカバー（図示せず）で覆われている。
【００２３】
電動モータ３の外周部には、放射状に突出した複数の放熱板３ｆが成形されており、この放熱板３ｆにより電動モータ３の外周部の表面積を広く確保することで、電動モータ３からの熱を効率よく放熱できるように構成されている。放熱板３ｆは、電動モータ本体３ｃの外周部に一体鋳造されており、上下に長い縦長の帯板状に成形されている。
【００２４】
［下部カバーの詳細構造］
図３〜図５に示すように、伝動ケース１のデッキ部１ａには、上方から下部カバー２０が締め付け固定されている。下部カバー２０は、板金製で、伝動ケース１のデッキ部１ａの上面側に締め付け固定される水平部材２１と、水平部材２１の後端部から斜め後方上方に延出された傾斜部材２２とを備えて構成されている。水平部材２１の前後及び左右中央部分には、開口部２１ａが形成されており、下部カバー２０を伝動ケース１のデッキ部１ａに取り付けた状態で、この開口部２１ａに電動モータ３の出力軸３ａを連通させて、電動モータ３を上方から締め付け固定することで、電動モータ３を下部カバー２０の上面側に固定できるように構成されている。
【００２５】
下部カバー２０における傾斜部材２２の上端部には、前方に折り曲げ成形された接当部２２ａが形成され、下部カバー２０の傾斜部材２２の左右両側部には、前方に折り曲げ成形された折り曲げ部２２ｂが形成されており、下部カバー２０における左右両側部の上面側には、ブロック状の固定部材２５が固定されている。接当部２２ａ及び左右の折り曲げ部２２ｂに保護カバー４０の後部を上方及び側方から接当させて締め付け固定し、固定部材２５に保護カバー４０の左右両側部を側方から接当させて締め付け固定することで、保護カバー４０を下部カバー２０に固定できるように構成されている。
【００２６】
下部カバー２０における傾斜部材２２の上面側には、箱状に成形されたコントロールボックス２３が締め付け固定されており、このコントロールボックス２３の内部に、電動モータ３等を制御する制御装置（図示せず）や制御リレー等の制御機器（図示せず）が内蔵されている。コントロールボックス２３には、接続口２３ａが形成されており、この接続口２３ａから電動モータ３等への配線ができる。
【００２７】
コントロールボックス２３は、鋼板を板金成形することによって、箱状に成形されており、コントロールボックス２３の下面側を傾斜部材２２に直接固定することにより、コントロールボックス２３内で発生した熱が、コントロールボックス２３の下面側から傾斜部材２２を介して外気側へ伝達されて、コントロールボックス２３の熱を効率よく放熱できるように構成されている。
【００２８】
下部カバー２０における水平部材２１の後部の左右両側部には、下方に開放した左右の下部排気口２０Ａが形成されており、下部カバー２０における傾斜部材２２の後部の左右両側部には、後方に開放した左右の上部排気口２０Ｂが形成されている。冷却ファン３ｄによって保護カバー４０の内部に吸い込まれた風が、電動モータ３、バッテリーユニット３０、コントロールボックス２３等を冷却して、この下部及び上部排気口２０Ａ，２０Ｂから排出されるように構成されている。なお、下部及び上部排気口２０Ａ，２０Ｂの位置、数量、形状等は、異なるものを採用してもよく、例えば下部及び上部排気口２０Ａ，２０Ｂをメッシュ状（図示せず）に構成することにより、外側からの異物の侵入を防止できる。
【００２９】
下部カバー２０における水平部材２１の前部中央部分の上面側には、電動モータ３の上部に装着された冷却ファン３ｄからの風を後方に案内する前部案内部材２４が固定されている。前部案内部材２４は、平面視で左右対称形状の逆く字状に屈曲した形状に成形されており、水平部材２１の上面からの高さが上下に２段積みしたバッテリー３１の高さと略同じ高さになるように設定されている。
【００３０】
このように前部案内部材２４を構成することにより、冷却ファン３ｄにより上方から供給された風を、この前部案内部材２４によって方向転換して、水平部材２１の後部の左右両側部に設けた下部排気口２０Ａに向かって案内することができる。前部案内部材２４の形状（角度）及び取付位置は、前部案内部材２４によって方向転換された風が、バッテリー３１の位置を通過して下部排気口２０Ａに供給され易く、コントロールボックス２３の位置を通過して上部排気口２０Ｂに供給され易い位置に設定されている。これにより、冷却ファン３ｄからの風をバッテリー３１及びコントロールボックス２３に供給しながら、バッテリー３１及びコントロールボックス２３の熱を吸収した風を下部及び上部排気口２０Ａ，２０Ｂに導くことができ、効率よくバッテリー３１及びコントロールボックス２３を冷却できると共に、バッテリー３１及びコントロールボックス２３によって暖められた風を効率よく下部及び上部排気口２０Ａ，２０Ｂから排気できる。
【００３１】
［バッテリーユニットの詳細構造］
図３及び図４に示すように、電動モータ３の左右両側部における水平部材２１の上面側には、左右対称な位置に配設されたバッテリーユニット３０が締め付け固定されている。保護カバー４０を下部カバー２０に装着した状態で、バッテリーユニット３０と保護カバー４０との間、及びバッテリーユニット３０と電動モータ３との間に所定の隙間が形成されるように、バッテリーユニット３０が配設されており、冷却ファン３ｄからの風がバッテリーユニット３０の外周部を無理なく通過できるように構成されている。
【００３２】
図５〜図７に示すように、バッテリーユニット３０は、平面視で、電動モータ３の左右両側部に所定の隙間を開けて、略左右対称な位置に配設されており、左右のバッテリーユニット３０の前後中間位置が電動モータ３の軸心Ｐ２の位置と前後方向で略同じになるように配設されている。
【００３３】
左右のバッテリーユニット３０は、上下のバッテリー３１を、上部連結部材３２、下部連結部材３３、中間部材３４及び連結ボルト３５によって連結し、下部カバー２０の水平部材２１の上面側に固定できるように構成されている。上部及び下部連結部材３２，３３は、樹脂製で、左右中央部分４３に上下に連通する貫通穴３２ａ，３３ａが形成されている。上部連結部材３２の上部及び下部連結部材３３の下部には、バッテリー３１側に延出された接当部３２ｂ，３３ｂが形成されており、上部連結部材３２の下部及び下部連結部材３３の上部には、中間部材３４と係合する凹入部３２ｃ，３３ｃが形成されている。
【００３４】
下部連結部材３３は、上部連結部材３２と同一の形状に成形されており、部品の共通化を図ることで、製造コストを削減できるように構成されている。
【００３５】
中間部材３４は、樹脂製で、左右に長い板状に成形されており、上下に連通する貫通穴３４ａと、バッテリー３１側に延出された接当部３４ｂとが形成されている。中間部材３４には、上方及び下方へ突出した突出部３４ｃが形成されており、この突出部３４ｃが上部及び下部連結部材３２，３３の凹入部３２ｃ，３３ｃと係合することにより、上部及び下部連結部材３２，３３と、中間部材３４とを位置決めすることができ、互いにずれ動くことを防止できる。
【００３６】
上下のバッテリー３１の間に中間部材３４の接当部３４ｂを挟んだ状態で、上部及び下部連結部材３２，３３を上方及び下方から取り付けて、上方から上部連結部材３２、中間部材３４及び下部連結部材３３に亘って連結ボルト３５を内嵌挿入し、連結ボルト３５を下部カバー２０の水平部材２１に締め付け固定することで、バッテリーユニット３０を下部カバー２０に固定することができる。
【００３７】
下部連結部材３３及び中間部材３４に形成された接当部３３ｂ，３４ｂによって、上側のバッテリー３１の下面側と上側のバッテリー３１の上面側との間、及び下側のバッテリー３１の下面側と下部カバー２０における水平部材２１の上面側との間に、所定の隙間（風を通すための前後及び左右方向が開放された空間）が形成されるように構成されており、この接当部３３ｂ，３４ｂによって形成された隙間に冷却ファン３ｄからの風を通過させることにより、風に触れるバッテリー３１の表面積を広く確保でき、効率よくバッテリー３１を冷却できるだけでなく、バッテリー３１の発熱によるバッテリー３１周辺の結露を防止できる。
【００３８】
［保護カバーの詳細構造］
図１及び図２に示すように、電動モータ３、バッテリー３１を連結したバッテリーユニット３０等は、上方から保護カバー４０でコンパクトに覆われて、これらの機器が外部に露出せず破損を防止でき、歩行型電動作業機の見栄えが良くなるように構成されている。
【００３９】
図１，図２，図８，図９に示すように、保護カバー４０は、樹脂をブロー成形することによって、下部カバー２０の上部に装備された電動モータ３、コントロールボックス２３、バッテリーユニット３０等を上方から覆うことができるような形状に成形されている。保護カバー４０は、電動モータ３等を左右両側部から覆う左側部分４１及び右側部分４２と、この左側部分４１及び右側部分４２の間に位置し上方に突出した形状に成形された中央部分４３とを備えて構成されている。
【００４０】
保護カバー４０の中央部分４３の側面視での形状は、前後方向に丸く湾曲した形状に成形されており、保護カバー４０によりコンパクトに下部カバー２０の上部に配設された電動モータ３、バッテリーユニット３０等を覆うことができるように構成されている。
【００４１】
中央部分４３の上部には、上方へ突出した形状に成形された冷却風導入部４４が形成されており、この冷却風導入部４４の後部に後方へ開口した背面視での形状が横長の吸気口４０Ａが形成されている。このように、冷却風導入部４４を形成することにより、歩行型電動作業機の走行等によって影響を受け難い冷却風導入部４４の後方から安定して風を吸い込むことができる。なお、吸気口４０Ａの位置、数量、形状等は異なるものを採用してもよく、例えば吸気口４０をメッシュ状（図示せず）に構成することにより、外気からの異物の吸い込みを防止できる。
【００４２】
冷却風導入部４４の下方側には、上部案内部材４６が装着されている。上部案内部材４６は、上下向きの円筒状に成形された円筒部材４６ａと、この円筒部材４６ａの上部の外周部に固定された円錐状のガイド部材４６ｂとを備えて構成されており、ガイド部材４６ｂの外周部が全周に亘って冷却風導入部４４の下面側に固定されている。上部案内部材４６の円筒部材４６ａは、電動モータ３の外周面から径方向に所定の隙間を開けて同心状に配設されており、上部案内部材４６の後部に位置する吸気口４０Ａから吸い込んだ風を上部案内部材４６のガイド部材４６ｂによって下方へ案内して、上部案内部材４６の円筒部材４６ａによって電動モータ３の外周部に効率よく供給できるように構成されている。
【００４３】
［保護カバー内の冷却風の流れ］
図８及び図９に示すように、冷却ファン３ｄを回転駆動させることにより、吸気口４０Ａから吸い込まれた外気が上部案内部材４６に案内されて電動モータ３の外周部に供給される。そして、冷却ファン３ｄからの外気が電動モータ３の外周部に設けられた放熱板３ｆに供給されて、電動モータ３が冷却される。
【００４４】
図８に示すように、上部案内部材４６によって下方に案内された外気の一部は、下部カバー２０の前部に装備された前部案内部材２４の方に案内されて、この前部案内部材２４によって後方へ方向転換されてから電動モータ３の左右両側部に配設されたバッテリーユニット３０に供給される。そして、バッテリーユニット３０に形成された隙間を通って後方へ供給されて、バッテリー３１が冷却される。
【００４５】
図９に示すように、上部案内部材４６によって下方に案内された外気の一部は、電動モータ３の左右両側部に配設されたバッテリーユニット３０に供給され、バッテリーユニット３０に形成された隙間を通って左右両側方へ供給され、上述した前部案内部材２４によって後方へ案内された風の流れに乗って、下部カバー２０の水平部材２１後部の左右両側部に設けた下部排気口２０Ａから排気される。
【００４６】
図８に示すように、上部案内部材４６によって下方に案内された外気の一部は、下部カバー２０の傾斜部材２２に配設されたコントロールボックス２３に供給され、コントロールボックス２３の上面側を冷却する。コントロールボックス２３を冷却した風は、傾斜部材２２の左右両側部に形成された左右の上部排気口２０Ｂから排気される。
【００４７】
図８及び図９に示すように、吸気口４０Ａから吸い込まれた外気を電動モータ３、バッテリー３１及びコントロールボックス２３に万遍なく供給し、電動モータ３、バッテリー３１及びコントロールボックス２３によって暖められた空気を、下部排気口２０Ａ及び上部排気口２０Ｂから無理なく排気できるように構成されており、保護カバー４０の内部で外気を効率よく通過させることができるように構成されている。
【００４８】
以上のように、保護カバー４０に形成した吸気口４０Ａから吸い込んだ外気によって、電動モータ３、バッテリー３１、コントロールボックス２３を冷却して、下部カバー２０に形成した複数の排気口（上部排気口２０Ａ，下部排気口２０Ｂ）から排気するように、歩行型電動作業機が構成されており、これにより、保護カバー４０の内部の電動モータ３、バッテリー３１及びコントロールボックス２３から発生した熱を、保護カバー４０の外に効率よく排気することができ、電動モータ３、バッテリー３１及びコントロールボックス２３を効率よく冷却できる。
【００４９】
［発明の実施の第１別形態］
前述の［発明を実施するための最良の形態］においては、電動モータ３の上部に、電動モータ３と一体回動可能な冷却ファン３ｄを設けた例を示したが、電動モータ３とは別の小型のモータで駆動する冷却ファン（図示せず）を電動モータ３の上部に設けて、この冷却ファンのモータをコントロールボックス２３に接続し、例えば外気温や保護カバー４０内の温度等に応じて冷却ファンを回転制御するように構成してもよい。具体的には、例えば電動モータ３を回転させなくても、冷却ファンが回転するように制御することで、長い時間冷却ファンを回転させることができ、電動モータ３等を効果的に冷却できる。
【００５０】
前述の［発明を実施するための最良の形態］においては、電動モータ３の外周面に放射状の放熱板３ｆを一体成形した例を示したが、放熱板３ｅの向く方向は異なる方向を採用してもよく、例えば放熱板３ｆを前後向きに配設することにより、前方又は後方に冷却ファン３ｄからの風を効率よく案内することができ、放熱板３ｆを左右向きに配設することにより、右方又は左方に冷却ファン３ｄからの風を効率よく案内することができる。また、別部材として製作した放熱板３ｆを電動モータ３の外周面に固定する構成を採用してもよい。
【００５１】
［発明の実施の第２別形態］
前述の［発明を実施するための最良の形態］及び［発明の実施の第１別形態］においては、耕耘爪２を伝動ケース１の下部に装着した歩行型電動作業機を例に示したが、クローラ走行装置（図示せず）等の走行装置を伝動ケース１の下部に装着した歩行型電動作業機においても同様に適用できる。
【図面の簡単な説明】
【００５２】
【図１】歩行型電動作業機の全体左側面図
【図２】歩行型電動作業機の全体平面図
【図３】歩行型電動作業機の縦断左側面図
【図４】歩行型電動作業機の横断平面図
【図５】保護カバー内部の構造を示す斜視図
【図６】バッテリーユニットの構造を示す側面図
【図７】バッテリーユニットの構造を示す斜視図
【図８】保護カバーの構造及び冷却風の流れを示す縦断側面図
【図９】保護カバーの構造及び冷却風の流れを示す縦断正面図
【符号の説明】
【００５３】
１        伝動ケース
１ｂ      放熱板
２        耕耘爪
３        電動モータ
３ｄ      冷却ファン
３ｆ      放熱板
４        操縦ハンドル
９        バッテリー
【図１】
0005016407.tif 000002
【図２】
0005016407.tif 000003
【図３】
0005016407.tif 000004
【図４】
0005016407.tif 000005
【図５】
0005016407.tif 000006
【図６】
0005016407.tif 000007
【図７】
0005016407.tif 000008
【図８】
0005016407.tif 000009
【図９】
0005016407.tif 000010